(57)【要約】  第１無線通信ネットワーク（ＮＷ）と、アクセスポイント（ＡＰ）と当該ＡＰに対応するキャッシュサーバとを具備する第２無線通信ＮＷと、コンテンツサーバと、第１無線通信ＮＷを介して位置情報を含めたコンテンツのダウンロード要求を送信する携帯端末と、ＡＰの位置情報とＡＰと対応するキャッシュサーバとを対応させて記録するエージェントとを備え、エージェントは、ダウンロード要求を受信すると、コンテンツサーバからコンテンツを取得して、携帯端末の位置情報とＡＰの位置情報とに基づいて指定ＡＰを決定して、指定ＡＰに対応する指定キャッシュサーバを特定して、指定キャッシュサーバへコンテンツをキャッシュする。携帯端末は、指定ＡＰの無線エリアへ移動する。指定キャッシュサーバは、携帯端末が指定ＡＰの無線エリア内に移動すると、指定ＡＰを介して携帯端末へコンテンツを送信する。
2010026799.tif 000002
【特許請求の範囲】
【請求項１】
第１無線エリアを構成して第１通信速度で通信を行う第１無線通信ネットワークと、
前記第１無線エリアより無線エリアの狭い第２無線エリアを構成して前記第１通信速度より通信速度の速い第２通信速度で通信を行う第２無線通信ネットワークと、
前記第２無線通信ネットワークは、
前記第２無線エリアを構成するアクセスポイントと、
前記アクセスポイントに対応して設置され、コンテンツを一時的に記憶するキャッシュサーバとを具備し、
前記コンテンツを記憶するコンテンツサーバと、
前記第１無線通信ネットワークを介して、現在の位置情報を含めた前記コンテンツのダウンロード要求を送信する携帯端末と、
前記アクセスポイントの位置情報と、前記アクセスポイントと対応する前記キャッシュサーバとを、前記アクセスポイント毎に対応させて記録するエージェントと
を備え、
前記エージェントは、前記ダウンロード要求を受信すると、前記コンテンツサーバから前記コンテンツを取得して、前記ダウンロード要求に含まれる前記携帯端末の位置情報と前記アクセスポイントの位置情報とに基づいて前記アクセスポイントのうちから指定アクセスポイントを決定して、前記キャシュサーバのうちから前記指定アクセスポイントに対応する指定キャッシュサーバを特定して、前記指定キャッシュサーバへ前記コンテンツをキャッシュし、
前記携帯端末は、前記指定アクセスポイントの無線エリア内に移動し、
前記指定キャッシュサーバは、前記携帯端末が前記指定アクセスポイントの無線エリア内に移動すると、前記指定アクセスポイントを介して前記携帯端末へ前記コンテンツを送信する
コンテンツダウンロードシステム。
【請求項２】
請求の範囲１に記載のコンテンツダウンロードシステムであって、
前記エージェントは、前記指定キャッシュサーバへ前記コンテンツをキャッシュすると、前記指定アクセスポイントの位置情報を前記携帯端末へ通知する
コンテンツダウンロードシステム。
【請求項３】
請求の範囲２に記載のコンテンツダウンロードシステムであって、
前記携帯端末は、前記指定アクセスポイントの無線エリア内に移動したと検知すると、前記エージェントへ、前記指定アクセスポイントの無線エリア内への到達通知を送信し、
前記エージェントは、前記到達通知を受信すると、前記指定キャッシュサーバへ前記コンテンツの同期命令を送信し、
前記キャッシュサーバは、前記同期命令を受信すると、前記コンテンツを前記携帯端末へ送信する
コンテンツダウンロードシステム。
【請求項４】
請求の範囲３に記載のコンテンツダウンロードシステムであって、
前記エージェントは、前記携帯電話端末の位置情報と前記アクセスポイントの位置情報とに基づいて、前記携帯電話端末と最も距離の近い前記アクセスポイントを、前記指定アクセスポイントと決定する
コンテンツダウンロードシステム。
【請求項５】
請求の範囲１に記載のコンテンツダウンロードシステムであって、
前記エージェントは、前記携帯端末の移動するべき移動予定経路を記憶して、前記アクセスポイントの位置情報と前記移動予定経路とに基づいて前記アクセスポイントのうちから複数の指定アクセスポイントを決定して、前記キャシュサーバのうちから前記複数の指定アクセスポイントの各々に対応する複数の指定キャッシュサーバを特定して、前記複数の指定キャッシュサーバの各々へ前記コンテンツをキャッシュし、
前記携帯電話は、前記複数の指定アクセスポイントのうちの到達指定アクセスポイントの無線エリア内に移動し、
前記複数の指定キャッシュサーバのうち前記到達指定アクセスポイントに対応する到達指定キャッシュサーバは、前記到達指定アクセスポイントの無線エリア内へ前記携帯電話端末が移動すると、前記到達指定アクセスポイントを介して、前記コンテンツを前記携帯端末へ送信する
コンテンツダウンロードシステム。
【請求項６】
請求の範囲５に記載のコンテンツダウンロードシステムであって、
前記携帯端末は、異なる前記アクセスポイントの無線エリアへ移動する度に、前記エージェントへ到達通知を送信し、
前記エージェントは、前記到達通知を受信すると前記携帯端末が移動した無線エリアを構成する前記アクセスポイントが前記複数の指定アクセスポイントのうちのいずれかである場合には、当該指定アクセスポイントを前記到達指定アクセスポイントとして当該到達指定アクセスポイントに対応する前記到達指定キャッシュサーバへ前記コンテンツの同期命令を通知し、
前記到達指定キャッシュサーバは、前記同期命令を受信すると、前記到達指定アクセスポイントを介して、前記コンテンツを前記携帯端末へ送信する
コンテンツダウンロードシステム。
【請求項７】
請求の範囲６に記載のコンテンツダウンロードシステムであって、
前記エージェントは、前記アクセスポイントの位置情報と前記移動予定経路とに基づいて、前記移動予定経路に近い前記アクセスポイントを複数の指定アクセスポイントとして決定する
コンテンツダウンロードシステム。
【請求項８】
請求の範囲７に記載のコンテンツダウンロードシステムであって、
前記各指定キャッシュサーバは、前記各指定キャッシュサーバに対応する前記各指定アクセスポイントの無線エリア内から当該無線エリア外へ前記携帯端末が移動するまで間に前記コンテンツのダウンロードが完了しない場合、前記コンテンツのうちダウンロードが完了したデータ部分を前記エージェントへ通知し、
前記エージェントは、前記携帯端末が他の到達指定アクセスポイントの無線エリア内へ移動すると、前記他の到達指定アクセスポイントに対応する他の到達指定キャッシュサーバへ前記データ部分を通知し、
前記他の到達指定キャッシュサーバは、前記データ部分に基づいて前記コンテンツのダウンロード再開位置を決定して、前記コンテンツを前記ダウンロード再開位置から、前記到達指定アクセスポイントを介して、前記携帯端末へ送信する
コンテンツダウンロードシステム。
【請求項９】
請求の範囲８に記載のコンテンツダウンロードシステムであって、
前記エージェントは、前記携帯端末の移動経路の履歴を記録して、前記履歴に基づいて予測した前記移動予定経路を記憶する
コンテンツダウンロードシステム。
【請求項１０】
請求の範囲１から請求の範囲９までのいずれかに記載のコンテンツダウンロードシステムであって、
前記アクセスポイントの通信状態を示すＡＰ統計情報を、前記アクセスポイント毎に集計する監視装置をさらに備え、
前記エージェントは、前記監視装置の集計した前記ＡＰ統計情報に基づいて、前記各指定アクセスポイントのうち前記通信状態の良好なアクセスポイントを、前記指定アクセスポイントと決定する
コンテンツダウンロードシステム。
【請求項１１】
請求の範囲１０に記載のコンテンツダウンロードシステムであって、
前記ＡＰ統計情報は、前記アクセスポイントにアクセスしている前記携帯端末の数、使用帯域、ＴＣＰパケットの再送数に基づく通信品質である
コンテンツダウンロードシステム。
【請求項１２】
請求の範囲１から請求の範囲１１までのいずれかに記載のコンテンツダウンロードシステムにおいて使用されるエージェント。
【請求項１３】
第１無線エリアを構成して第１通信速度で通信を行う第１無線通信ネットワークと、
前記第１無線エリアより無線エリアの狭い第２無線エリアを構成して前記第１通信速度より通信速度の速い第２通信速度で通信を行う第２無線通信ネットワークと、
携帯端末と、エージェントと、コンテンツサーバとを備えるコンテンツダウンロードシステムにおいて、
前記第２無線通信ネットワークは、
前記第２無線エリアを構成するアクセスポイントと、
前記アクセスポイントに対応して設置され、コンテンツを一時的に記憶するキャッシュサーバと、を具備し、
前記コンテンツを記憶するステップと、
前記第１無線通信ネットワークを介して、現在の位置情報を含めた前記コンテンツのダウンロード要求を送信するステップと、
前記アクセスポイントの位置情報と、前記アクセスポイントと対応する前記キャッシュサーバとを、前記アクセスポイント毎に対応させて記録するステップと、
前記ダウンロード要求を受信すると前記コンテンツサーバから前記コンテンツを取得するステップと、
前記ダウンロード要求に含まれる前記携帯端末の位置情報と前記アクセスポイントの位置情報とに基づいて前記アクセスポイントのうちから指定アクセスポイントを決定するステップと、
前記キャシュサーバのうちから前記指定アクセスポイントに対応する指定キャッシュサーバを特定するステップと、
前記指定キャッシュサーバへ前記コンテンツをキャッシュするステップと、
前記指定アクセスポイントの無線エリア内に移動するステップと、
前記携帯端末が前記指定アクセスポイントの無線エリア内に移動すると前記指定アクセスポイントを介して前記携帯端末へ前記コンテンツを送信するステップと
を備えるコンテンツダウンロード方法。
【請求項１４】
請求の範囲１３に記載のコンテンツダウンロード方法であって、
前記指定キャッシュサーバへ前記コンテンツをキャッシュすると、前記指定アクセスポイントの位置情報を前記携帯端末へ通知するステップ
をさらに備えるコンテンツダウンロード方法。
【請求項１５】
請求の範囲１４に記載のコンテンツダウンロード方法であって、前記携帯端末へ前記コンテンツを送信するステップは、
前記指定アクセスポイントの無線エリア内に移動したと検知すると、前記エージェントへ、前記指定アクセスポイントの無線エリア内への到達通知を送信するステップと、
前記到達通知を受信すると、前記指定キャッシュサーバへ前記コンテンツの同期命令を送信するステップと、
前記同期命令を受信すると前記コンテンツを前記携帯端末へ送信するステップと
を含むコンテンツダウンロード方法。
【請求項１６】
請求の範囲１５に記載のコンテンツダウンロード方法であって、前記指定アクセスポイントを決定するステップは、
前記携帯電話端末の位置情報と前記アクセスポイントの位置情報とに基づいて、前記携帯電話端末と最も距離の近い前記アクセスポイントを、前記指定アクセスポイントと決定するステップ
を含むコンテンツダウンロード方法。
【請求項１７】
請求の範囲１３に記載のコンテンツダウンロード方法であって、
前記携帯端末の移動するべき移動予定経路を記憶するステップ
をさらに備え、
前記指定アクセスポイントを決定するステップは、
前記アクセスポイントの位置情報と前記移動予定経路とに基づいて前記アクセスポイントのうちから複数の指定アクセスポイントを決定するステップ
を含み、
前記指定キャッシュサーバを特定するステップは、
前記キャシュサーバのうちから前記複数の指定アクセスポイントの各々に対応する複数の指定キャッシュサーバを特定ステップ
を含み、
前記コンテンツをキャッシュするステップは、
前記複数の指定キャッシュサーバの各々へ前記コンテンツをキャッシュするステップ
を含み、
前記移動するステップは、
前記複数の指定アクセスポイントのうちの到達指定アクセスポイントの無線エリア内に移動するステップ
を含み、
前記携帯端末へ前記コンテンツを送信するステップは、
前記到達指定アクセスポイントの無線エリア内へ前記携帯端末が移動すると、前記到達指定アクセスポイントを介して、前記コンテンツを前記携帯端末へ送信するステップ
を含むコンテンツダウンロード方法。
【請求項１８】
請求の範囲１７に記載のコンテンツダウンロード方法であって、前記各指定アクセスポイントを介して、前記コンテンツを前記携帯端末へ送信するステップは、
異なる前記アクセスポイントの無線エリアへ移動したと検知する度に、前記エージェントへ到達通知を送信するステップと、
前記到達通知を受信すると前記識別子が移動した無線エリアを構成する前記アクセスポイントが前記複数の指定アクセスポイントのうちのいずれかである場合には、当該指定アクセスポイントを前記到達指定アクセスポイントとして当該到達指定アクセスポイントに対応する前記到達指定キャッシュサーバへ前記コンテンツの同期命令を通知するステップと、
前記同期命令を受信すると、前記到達指定アクセスポイントを介して、前記コンテンツを前記携帯端末へ送信するステップと
を含むコンテンツダウンロード方法。
【請求項１９】
請求の範囲１８に記載のコンテンツダウンロード方法であって、前記複数の指定アクセスポイントを決定するステップは、
前記アクセスポイントの位置情報と前記移動予定経路とに基づいて、前記移動予定経路に近い前記アクセスポイントを複数の指定アクセスポイントとして決定するステップ
を含むコンテンツダウンロード方法。
【請求項２０】
請求の範囲１９に記載のコンテンツダウンロード方法であって、
前記各指定キャッシュサーバに対応する前記各指定アクセスポイントの無線エリア内から当該無線エリア外へ前記携帯端末が移動するまで間に前記コンテンツのダウンロードが完了しない場合、前記コンテンツのうちダウンロードが完了したデータ部分を前記エージェントへ通知するステップと、
前記携帯端末が他の到達指定アクセスポイントの無線エリア内へ移動すると、前記他の到達指定アクセスポイントに対応する他の到達指定キャッシュサーバへ前記データ部分を通知するステップと、
前記データ部分に基づいて前記コンテンツのダウンロード再開位置を決定するステップと、  前記コンテンツを前記ダウンロード再開位置から、前記到達指定アクセスポイントを介して、前記携帯端末へ送信するステップと
をさらに備えるコンテンツダウンロード方法。
【請求項２１】
請求の範囲２０に記載のコンテンツダウンロード方法であって、前記移動予定経路を記憶するステップは、
前記携帯端末の移動経路の履歴を記録するステップと、
前記履歴に基づいて予測した前記移動予定経路を記憶するステップ
を含むコンテンツダウンロード方法。
【請求項２２】
請求の範囲１３から請求の範囲２１までのいずれかに記載のコンテンツダウンロード方法であって、
前記アクセスポイントの通信状態を示すＡＰ統計情報を、前記アクセスポイント毎に集計するステップ
をさらに備え、
前記指定アクセスポイントを決定するステップは、
前記監視装置の集計した前記ＡＰ統計情報に基づいて、前記各指定アクセスポイントのうち前記通信状態の良好なアクセスポイントを、前記指定アクセスポイントと決定するステップ
を含むコンテンツダウンロード方法。
【請求項２３】
請求の範囲２２に記載のコンテンツダウンロード方法であって、
前記ＡＰ統計情報は、前記アクセスポイントにアクセスしている前記携帯端末の数、使用帯域、ＴＣＰパケットの再送数に基づく通信品質である
コンテンツダウンロード方法。
【発明の詳細な説明】
【技術分野】
【０００１】
本発明は、コンテンツダウンロードシステムに関する。
【背景技術】
【０００２】
コンテンツダウンロードサービスは、利用者が携帯端末による無線アクセスを使用して、インターネット上のコンテンツサーバからコンテンツをダウンロードするサービスである。携帯端末を用いた無線アクセスには、例えば、第３世代携帯電話に代表される携帯電話システムのように、無線エリアは広いが通信速度が低速なシステムと、無線ＬＡＮ（Ｌｏｃａｌ  Ａｒｅａ  Ｎｅｔｗｏｒｋ）や、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のように無線エリアは狭いが通信速度が高速なシステムとが存在する。携帯端末を用いて無線アクセスを行う場合、携帯端末は、利用者と共に移動する。そのため、コンテンツダウンロードシステムは、携帯端末の移動に応じて効率的にコンテンツのダウンロードを提供することが課題となる。無線システムの特徴を利用して、携帯端末の移動状況に応じたコンテンツダウンロードを提供する関連技術が、以下のように開示されている。【０００３】
特開２００４−０３８２４２号公報は、電車内の利用者がインターネットなどにアクセスする場合に、効率的なアクセスを安価に提供する事が可能な電車内ダウンロードサービスシステムを開示している。特開２００４−０３８２４２号公報の電車内ダウンロードサービスシステムは、電車内に存在する任意の端末から要求されたコンテンツを所定のネットワークに接続されたコンテンツサーバからダウンロードして端末に提供するために用いる電車内ダウンロードサービスシステムである。駅構内無線通信手段は、複数の駅のそれぞれに設置され、電車が各駅の構内に存在する状態で電車内の端末もしくは社内サーバとの間で無線通信が可能である。代理ダウンロード手段は、駅構内無線通信手段と接続され、端末もしくは社内サーバからのダウンロード要求に従って、要求元の代理として該当するコンテンツサーバにアクセスし、要求されたコンテンツを取得し蓄積する。データ取得駅特定手段は、端末もしくは社内サーバが要求したデータを取得する駅を特定する。コンテンツ転送手段は、代理ダウンロード手段が取得したコンテンツを、データ取得駅特定手段の特定した駅に属する駅構内無線通信手段を介して端末もしくは社内サーバに転送する。【０００４】
特開２００５−０２６９７７号公報は、コンテンツのダウンロードを様々な場所にて短時間で行うことを可能とするコンテンツ予約配信システムを開示している。特開２００５−０２６９７７号公報のコンテンツ予約配信システムは、第１のサービスエリアおよび第１のデータ転送速度を有する第１の無線通信システムと、第１のサービスエリアより狭い第２のサービスエリアおよび第１のデータ転送速度より高速の第２のデータ転送速度を有する第２の無線通信システムを介して、コンテンツを提供するコンテンツサーバと移動通信装置との間で予約配信を行うコンテンツ予約配信システムである。移動通信装置は、コンテンツサーバに対して第１の無線通信システムを介して所望コンテンツのダウンロード予約情報を送信する手段と、第２の通信システムを介してコンテンツサーバに所望コンテンツのダウンロード要求を送信する要求送信手段と、コンテンツサーバから第２の通信システムを介して送信される所望コンテンツを受信する手段とを備える。コンテンツサーバは、ダウンロード予約情報を受信する手段と、ダウンロード要求を受信する手段と、受信されたダウンロード予約情報およびダウンロード要求に従って、所望コンテンツを第２の通信システムを介して移動端末装置に送信する手段とを備える。【０００５】
特開２００５−０３３４３９号公報は、データ利用者が移動しながら所望のデータを取得できるデータ配信システムを開示している。特開２００５−０３３４３９号公報のデータ配信システムは、ネットワークに接続された複数のアクセスポイントを介して移動端末に対して情報を配信するデータ配信システムである。アクセスポイントおよび移動端末機は、ブルートゥースを用いた送受信が可能である。情報準備手段は、情報を準備する。予測する手段は、移動端末機の位置を予測する。選択する手段は、予測された移動端末機位置近くのアクセスポイントを選択する。送信する手段は、選択されたアクセスポイントから移動端末機に準備手段で準備された情報を、ブルートゥースを用いてする。【０００６】
特開２００６−１９６００８号公報は、移動体装置を用いてモバイルアクセスする特定の利用者を対象とした効果的なキャッシュを可能とするデータ配信システムを開示している。特開２００６−１９６００８号公報のデータ配信システムにおける管理装置は、無線ネットワークを介してインターネットに接続される移動計算機と、インターネット経由で移動計算機にＷＷＷ（Ｗｏｒｌｄ  Ｗｉｄｅ  Ｗｅｂ）情報を提供する情報サーバと、情報サーバから移動計算機へ転送される情報をキャッシュする複数配置されたキャッシュサーバと接続可能な管理装置である。受信する手段は、移動計算機から所定のタイミングで通知される該移動計算機の無線ネットワークにおける接続位置に関する情報と、移動計算機が予め登録された特別の利用者に係わるものである場合に、少なくとも該移動計算機のネットワーク接続時に該移動計算機から通知される該移動計算内に記憶された１または複数のＷＷＷ情報を指定する識別情報と受信する。選択する手段は、移動計算機から通知された移動計算機の接続位置に関する情報を用いて、該移動計算機の近隣に配置された１または複数のキャッシュサーバを選択する。制御を行う手段は、選択されたキャッシュサーバに、通知された該特別の利用者に関連する識別情報に基づいて選択したＷＷＷ情報、および、情報サーバによりＷＷＷ情報を提供する情報提供者のうち予め登録された特別の情報提供者であって該特別の利用者を指定しているものに関連する情報に依存して選択されたＷＷＷ情報をキャッシュさせる制御を行う。
【先行技術文献】
【特許文献】
【０００７】
【特許文献１】特開２００４−０３８２４２号公報
【特許文献２】特開２００５−０２６９７７号公報
【特許文献３】特開２００５−０３３４２９号公報
【特許文献４】特開２００６−１９６００８号公報
【発明の概要】
【０００８】
上述した関連技術による情報配信システムは、特定の場所における情報配信を、高速、かつ効率的に行うための技術である。そのため、利用者が自由に移動する状況における情報配信については考慮されていない。さらには、利用者の移動やネットワークの状況に合わせた最適な情報配備についても考慮されていない。
【０００９】
そこで、本発明は、携帯端末の移動状況に応じて、コンテンツを効率よく携帯端末へダウンロードすることが可能なコンテンツダウンロードシステムを提供することを目的とする。
【００１０】
さらに、本発明は、携帯端末がコンテンツを効率よくダウンロードできるアクセスポイントを選択することが可能なコンテンツダウンロードシステムを提供することを目的とする。
【００１１】
本発明のコンテンツダウンロードシステムは、第１無線エリアを構成して第１通信速度で通信を行う第１無線通信ネットワークと、第１無線エリアより無線エリアの狭い第２無線エリアを構成して第１通信速度より通信速度の速い第２通信速度で通信を行う第２無線通信ネットワークと、第２無線通信ネットワークは、第２無線エリアを構成するアクセスポイントと、アクセスポイントに対応して設置され、コンテンツを一時的に記憶するキャッシュサーバとを具備し、コンテンツを記憶するコンテンツサーバと、第１無線通信ネットワークを介して、現在の位置情報を含めたコンテンツのダウンロード要求を送信する携帯端末と、アクセスポイントの位置情報と、アクセスポイントと対応するキャッシュサーバとを、アクセスポイント毎に対応させて記録するエージェントと、を備え、エージェントは、ダウンロード要求を受信すると、コンテンツサーバからコンテンツを取得して、ダウンロード要求に含まれる携帯端末の位置情報とアクセスポイントの位置情報とに基づいてアクセスポイントのうちから指定アクセスポイントを決定して、キャシュサーバのうちから指定アクセスポイントに対応する指定キャッシュサーバを特定して、指定キャッシュサーバへコンテンツをキャッシュし、携帯端末は、指定アクセスポイントの無線エリア内に移動し、指定キャッシュサーバは、携帯端末が指定アクセスポイントの無線エリア内に移動すると、指定アクセスポイントを介して携帯端末へコンテンツを送信する。
【００１２】
本発明のエージェントは、上述のコンテンツダウンロードシステムにおいて使用される
。
【００１３】
本発明のコンテンツダウンロード方法は、第１無線エリアを構成して第１通信速度で通信を行う第１無線通信ネットワークと、第１無線エリアより無線エリアの狭い第２無線エリアを構成して第１通信速度より通信速度の速い第２通信速度で通信を行う第２無線通信ネットワークと、携帯端末と、エージェントと、コンテンツサーバとを備えるコンテンツダウンロードシステムにおいて、第２無線通信ネットワークは、第２無線エリアを構成するアクセスポイントと、アクセスポイントに対応して設置され、コンテンツを一時的に記憶するキャッシュサーバと、を具備し、コンテンツを記憶するステップと、第１無線通信ネットワークを介して、現在の位置情報を含めたコンテンツのダウンロード要求を送信するステップと、アクセスポイントの位置情報と、アクセスポイントと対応するキャッシュサーバとを、アクセスポイント毎に対応させて記録するステップと、ダウンロード要求を受信するとコンテンツサーバからコンテンツを取得するステップと、ダウンロード要求に含まれる携帯端末の位置情報とアクセスポイントの位置情報とに基づいてアクセスポイントのうちから指定アクセスポイントを決定するステップと、キャシュサーバのうちから指定アクセスポイントに対応する指定キャッシュサーバを特定するステップと、指定キャッシュサーバへコンテンツをキャッシュするステップと、指定アクセスポイントの無線エリア内に移動するステップと、携帯端末が指定アクセスポイントの無線エリア内に移動すると指定アクセスポイントを介して携帯端末へコンテンツを送信するステップとを備える。
【００１４】
本発明によれば、携帯端末の移動状況に応じて、コンテンツを効率よく携帯端末へダウンロードすることが可能なコンテンツダウンロードシステムを提供することができる。
【００１５】
さらに、本発明によれば、携帯端末へコンテンツを効率よくダウンロードできるアクセスポイントを選択することが可能なコンテンツダウンロードシステムを提供することができる。
【図面の簡単な説明】
【００１６】
上記発明の目的、効果、特徴は、添付される図面と連携して実施の形態の記述から、より明らかになる。【００１７】
【図１】図１は、第１実施形態におけるコンテンツダウンロードシステムの構成を示す図である。
【図２】図２は、第１実施形態における移動体通信ネットワークと高速無線アクセスネットワークとの無線エリアの違いを示した図である。
【図３】図３は、第１実施形態におけるエージェント２００、コンテンツサーバ１０８、及びキャッシュサーバ１０５−１〜ｎの構成を示す図である。
【図４】図４は、第１実施形態におけるエージェント２００の機能ブロック図である。
【図５】図５は、第１実施形態における優先度が高優先である場合のコンテンツダウンロードシステムの動作フローである。
【図６】図６は、第１実施形態におけるコンテンツの優先度を選択する選択画面を示す図である。
【図７】図７は、第１実施形態における優先度が中優先である場合のコンテンツダウンロードシステムの動作フローである。
【図８】図８は、第１実施形態における優先度が中優先である場合に位置情報管理部２０３が指定ＡＰを決定するときの概念図である。
【図９】図９は、第１実施形態における優先度が低優先である場合のコンテンツダウンロードシステムの動作フローである。
【図１０】図１０は、第１実施形態における優先度が低優先の場合に位置情報管理部２０３が指定ＡＰを決定するときの概念図である。
【図１１】図１１は、第２実施形態におけるコンテンツダウンロードシステムの構成を示す図である。
【図１２】図１２は、第２実施形態における監視装置３００の機能ブロック図である。
【図１３】図１３は、第２実施形態におけるエージェント２００の機能ブロック図である。
【発明を実施するための形態】
【００１８】
添付図面を参照して、本発明の実施形態によるコンテンツダウンロードシステムを以下に説明する。
【００１９】
（第１実施形態）
まず、本発明の第１実施形態によるコンテンツダウンロードシステムの説明を行う。
【００２０】
［構成の説明］
はじめに、図１を使用して、本実施形態におけるコンテンツダウンロードシステムの構成の説明を行う。図１は、本実施形態におけるコンテンツダウンロードシステムの構成を示す図である。
【００２１】
本実施形態のコンテンツダウンロードシステムは、携帯端末１００と、ネットワークＡ（以下、ＮＷ−Ａ）１０１と、基地局１０２−１〜ｎと、ネットワークＢ（以下、ＮＷ−Ｂ）１０３と、アクセスポイント（以下、ＡＰ）１０４−１〜ｎと、キャッシュサーバ１０５−１〜ｎと、インターネット１０７と、コンテンツサーバ１０８と、エージェント２００とを備える。
【００２２】
まず、ＮＷ−Ａ１０１及び基地局１０２−１〜ｎの説明を行う。ＮＷ−Ａ１０１と基地局１０２−１〜ｎは、例えば、第３世代携帯電話に代表される移動体通信ネットワークを構成する。ＮＷ−Ａ１０１は、基地局１０２−１〜ｎを制御する基地局制御装置や、交換機、位置登録サーバのような装置を備える従来の移動体通信ネットワークである。基地局１０２−１〜ｎは、それぞれＮＷ−Ａ１０１と接続されている。基地局１０２−１〜ｎは、それぞれ携帯端末１００と無線により通信が可能である。携帯端末１００は、基地局１０２−１〜ｎを介してＮＷ−Ａ１０１へ接続して通信を行うことが可能である。また、ＮＷ−Ａ１０１は、インターネット１０７と接続されている。そのため、携帯端末１００は、基地局１０２−１〜ｎ及びＮＷ−Ａ１０１を介してインターネット１０７へアクセスする事が可能である。ＮＷ−Ａ１０１及び基地局１０２−１〜ｎによる移動体通信ネットワークは、従来の技術によるため詳細な説明は省略する。なお、基地局１０２−１〜ｎは３局の基地局しか図示しないが、実際にはより多数（ｎ局：ｎは０以上の整数）存在する。
【００２３】
次に、ＮＷ−Ｂ１０３及びＡＰ１０４−１〜ｎの説明を行う。ＮＷ−Ｂ１０３とＡＰ１０４−１〜ｎは、無線ＬＡＮやＷｉＭＡＸ等に代表される高速無線アクセスによるＩＰ（Ｉｎｔｅｒｎｅｔ  Ｐｒｏｔｏｃｏｌ）ネットワークを構成する。ＮＷ−Ｂ１０３は、多数のネットワークスイッチや、ネットワークルータ、あるいは伝送装置を接続して構成される。ＡＰ１０４−１〜ｎは、それぞれＮＷ−Ｂ１０３と接続されている。ＡＰ１０４−１〜ｎは、それぞれ携帯端末１００と無線による通信が可能である。携帯端末１００は、ＡＰ１０４−１〜ｎを介してＮＷ−Ｂ１０３へ接続して通信を行うことが可能である。また、ＮＷ−Ｂ１０３は、エージェント２００を介してインターネット１０７と接続されている。そのため、携帯端末１００は、ＡＰ１０４−１〜ｎおよびＮＷ−Ｂ１０３を介してインターネット１０７へアクセスすることが可能である。ＮＷ−Ｂ１０３及びＡＰ１０４−１〜ｎによる高速無線アクセスは、従来の技術で構成されるため詳細な説明を省略する。なお、ＡＰ１０４−１〜ｎは３局のＡＰしか図示しないが、実際にはより多数（ｎ局：ｎは０以上の整数）存在する。
【００２４】
なお、ＮＷ−Ａ１０１及び基地局１０２−１〜ｎによる移動体通信ネットワーク（以下、移動体通信ネットワークと記載する場合には、ＮＷ−Ａ１０１及び基地局１０２−１〜ｎを含む。）は、ＮＷ−Ｂ１０３及びＡＰ１０４−１〜ｎによる高速無線アクセスネットワーク（以下、高速無線アクセスネットワークと記載する場合には、ＮＷ−Ｂ１０３及びＡＰ１０４−１〜ｎを含む。）より、通信速度が低い。具体的には、移動体通信ネットワークの通信速度が数１００ｋｂｐｓ〜数Ｍｂｐｓであるのに対して、高速無線アクセスネットワークの通信速度は、数Ｍｂｐｓ〜数１０Ｍｂｐｓである。そのため、同じ容量のデータをダウンロードする場合に、移動体通信ネットワークを使用する場合と、高速無線アクセスネットワークを使用する場合とでは、当該データのダウンロード時間が異なる。この傾向は、ダウンロードするデータが大容量になるほど顕著になる。
【００２５】
また、移動体通信ネットワークの無線エリアは、高速無線アクセスネットワークの無線エリアより広い。図２は、本実施形態における移動体通信ネットワークと高速無線アクセスネットワークとの無線エリアの違いを示した図である。基地局の無線エリア（図面上は、基地局エリアと表記）１２０−１〜ｎは、それぞれ基地局１０２−１〜ｎによる無線エリアである。基地局の無線エリア１２０−１〜ｎの中心が、それぞれ基地局１０２−１〜ｎである。また、ＡＰの無線エリア（図面上は、ＡＰエリアと表記）１２１−１〜ＡＰの無線エリア１２１−ｎは、それぞれＡＰ１０４−１〜ｎによる無線エリアである。ＡＰの無線エリア１２１−１〜ｎの中心が、それぞれＡＰ１０５−１〜ｎである。図２に示すとおり、基地局１０２−１〜ｎの構成する無線エリアは、ＡＰ１０５−１〜ｎの構成する無線エリアより広い。通常、基地局１０２−１〜ｎがそれぞれ構成する無線エリアは、基地局１０２−１〜ｎを中心として半径数ｋｍ〜１０数ｋｍに及ぶ。一方、ＡＰ１０４−１〜ｎの構成する無線エリアは、基地局１０２−１〜ｎの構成する無線エリアに比べて狭い。通常、ＡＰ１０４−１〜ｎの構成する無線エリアは、ＡＰ１０４−１〜ｎを中心として半径数１０ｍから数１００ｍである。また、ここでの無線エリアが広いとは、基地局１０２−１〜ｎ、ＡＰ１０４−１〜ｎの個々の一局が構成する無線エリアに限らない。すなわち、基地局１０２−１〜ｎの全てと、ＡＰ１０４−１〜ｎの全てとによって構成される無線エリアを全体として考えた場合にも、基地局１０２−１〜ｎの構成する無線エリアは、ＡＰ１０５−１〜ｎの構成する無線エリアより広いという意味を含む。なお、図２において、基地局１０２−１〜ｎによる無線エリア１２０−１〜ｎ、及びＡＰ１０４−１〜ｎによる無線エリア１２１−１〜ｎは、無指向性アンテナを使用した場合のように円形のエリアを構成しているが、これは説明の簡易のためである。無線エリアは、基地局１０２−１〜ｎ、ＡＰ１０４−１〜ｎの出力や、使用するアンテナの指向性により異なるため、これには限定しない。
【００２６】
次に、インターネット１０７の説明を行う。インターネット１０７は、ＮＷ−Ａ１０１、及びＮＷ−Ｂ１０３と接続されている。また、インターネット１０７は、コンテンツサーバ１０８と接続されている。インターネット１０７は、ＮＷ−Ａ１０１、ＮＷ−Ｂ１０３及び、コンテンツサーバ１０８の間で行われる通信のデータを転送する。インターネット１０７とＮＷ−Ｂ１０３とは、エージェント２００を介して接続されている。これは、エージェント２００のネットワーク内の接続位置によって異なり、これには限定しない。例えば、エージェント２００は、インターネット１０７のみと接続され、インターネット１０７上のアクセスサーバとして設置されても良い。なお、インターネット１０７は、従来の技術により構成されるため詳細な説明を省略する。
【００２７】
次に、携帯端末１００の説明を行う。携帯端末１００は、コンテンツサーバ１０８からコンテンツをダウンロードする。携帯端末１００は、基地局１０２−１〜ｎ、及びＡＰ１０４−１〜ｎと、それぞれ無線通信を行うための図示されないアンテナ及び無線送受信部を備えている。携帯端末１００は、基地局１０２−１〜ｎを介して、ＮＷ−Ａ１０１へ接続して通信を行うことが可能である。携帯端末１００は、基地局１０２−１〜ｎを介してＮＷ−Ａ１０１へ接続し、さらに、インタ−ネット１０７を経由してエージェント２００へ接続することが可能である。また、携帯端末１００は、ＡＰ１０４−１〜ｎを介してＮＷ−Ｂ１０３へ接続して通信を行うことが可能である。携帯端末１００は、移動体通信ネットワーク経由でエージェント２００へ、コンテンツダウンロード要求を送信する。本実施形態において、携帯端末１００は、コンテンツダウンロード要求に携帯端末１００の位置情報を含めて送信する。携帯端末１００は、図示されないＧＰＳ（Ｇｌｏｂａｌ  Ｐｏｓｉｔｉｏｎｉｎｇ  Ｓｙｓｔｅｍ）受信機を備えており、携帯端末１００の現在位置を取得することが可能である。携帯端末１００は、ＧＰＳ受信機で取得した携帯端末１００の位置情報をコンテンツダウンロード要求に含めて、エージェント２００へ送信する。エージェント２００は、携帯端末１００の位置情報に基づいて、ＡＰ１０４−１〜ｎのうちからコンテンツダウンロード可能なＡＰ（以下、指定ＡＰ）を決定する。携帯端末１００は、エージェント２００から指定ＡＰの情報通知（以下、ＡＰ情報通知）を受信する。携帯端末１００は、ＡＰ情報通知で通知されたＡＰ１０４−１〜ｎの無線エリアに入ると、当該ＡＰにアクセスしＮＷ−Ｂ１０３を経由してエージェント２００へアクセスポイント到達通知（以下、ＡＰ到達通知）を送信する。その後、携帯端末１００は、指定ＡＰに対応する対応するキャッシュサーバ（以下、指定キャッシュサーバ）からコンテンツデータをダウンロードする。このように、本実施形態において携帯端末１００は、移動体通信ネットワーク経由でコンテンツダウンロード要求を送信する。コンテンツダウンロード要求は、データ容量が少ないため、通信速度の低速な移動体通信ネットワーク経由で送信しても影響は少ない。また、基地局１０２−１〜ｎは広い無線エリアを構成するため、携帯端末１００は、コンテンツダウンロード要求を容易に送信できる。また、携帯端末１００は、高速無線アクセスネットワーク経由で、コンテンツをダウンロードする。コンテンツは、要求メッセージ等に比較して、データ容量が大容量である。携帯端末１００は、ＡＰ１０４−１〜ｎの高速な通信速度を使用して、効率的にコンテンツをダウンロードできる。
【００２８】
次に、コンテンツサーバ１０８の説明を行う。コンテンツサーバ１０８は、携帯端末１００へ送信するためのコンテンツデータを保存している。コンテンツサーバ１０８は、インターネット１０７と接続されており、インターネット１０７経由でアクセスすることが可能である。本実施形態において、コンテンツサーバ１０８は、エージェント２００からのコンテンツダウンロード要求を受信すると、指定されたコンテンツをエージェント２００へ送信する。また、コンテンツサーバ１０８は、説明の簡易のため１台のみ図示されているが、実際にはより多数のコンテンツサーバ１０８がインターネット上に存在する。
【００２９】
次に、キャッシュサーバ１０５−１〜ｎの説明を行う。キャッシュサーバ１０５−１〜ｎは、コンテンツデータを一時的に記憶して、携帯端末１００へコンテンツデータをダウンロードする。キャッシュサーバ１０５−１〜ｎは、それぞれＮＷ−Ｂ１０３と接続されている。キャッシュサーバ１０５−１〜ｎは、ＡＰ１０４−１〜ｎにそれぞれ対応して設置される。例えば、キャッシュサーバ１０５−１は、ＡＰ１０４−１に対応して設置される。これは、携帯端末１００が、ＡＰ１０４−１の無線エリア内においてダウンロードするコンテンツを、キャッシュサーバ１０５−１が記憶すること意味する。同様に、キャッシュサーバ１０５−２〜ｎは、ＡＰ１０４−２〜ｎにそれぞれ対応して設置される。これは、携帯端末１００が、ＡＰ１０４−２〜ｎの無線エリア内においてダウンロードするコンテンツを、キャッシュサーバ１０５−２〜ｎがそれぞれ記憶すること意味する。なお、本実施形態では、ＡＰ１０４−１〜ｎのそれぞれに対応してキャッシュサーバ１０５−１〜ｎが設置されている。これは、一つのＡＰに対応する複数のキャッシュサーバを設置しても良いし、逆に複数のＡＰに対応する一つのキャッシュサーバを設置してもよい。これらは、システムのトラヒック量に基づいて決定される事項であり限定はしない。本実施形態において、エージェント２００は、携帯端末１００の送信するコンテンツダウンロード要求に含まれる位置情報に基づいて、指定ＡＰを決定する。エージェント２００は、指定ＡＰに対応する指定キャッシュサーバを決定する。エージェント２００は、指定キャッシュサーバへコンテンツを一時的にキャッシュする。携帯端末１００が、指定ＡＰの無線エリアへ入る。指定キャッシュサーバは、エージェント２００から同期命令を受信すると、キャッシュしていたコンテンツを携帯端末１００へ送信する。
【００３０】
次に、エージェント２００の説明を行う。エージェント２００は、携帯端末１００からコンテンツダウンロード要求を受け付けて、コンテンツサーバ１０７からコンテンツをダウンロードし、携帯端末１００へコンテンツをダウンロードする。エージェント２００は、携帯端末１００へコンテンツをダウンロードするにあたり、コンテンツダウンロード要求に含まれる携帯端末１００の位置情報に基づいて、ＡＰ１０４−１〜ｎのうちから指定ＡＰを決定し、キャッシュサーバ１０５−１〜ｎのうちから指定キャッシュサーバを特定する。エージェント２００は、指定キャッシュサーバへコンテンツを送信し、指定キャッシュサーバに、コンテンツを一時的にキャッシュさせる。エージェント２００は、指定キャッシュサーバにコンテンツをキャッシュさせると、携帯端末１００へ指定ＡＰを通知する。携帯端末１００は、指定ＡＰの無線エリアへ入ると、エージェント２００へＡＰ到達通知を送信する。エージェント２００は、ＡＰ到達通知を受信すると、指定キャッシュサーバへコンテンツの同期要求（以下、コンテンツ同期要求）を送信する。指定キャッシュサーバは、コンテンツ同期要求を受信すると、キャッシュしているコンテンツを携帯端末１００へダウンロードする。
【００３１】
ここで、エージェント２００、コンテンツサーバ１０８、及びキャッシュサーバ１０５−１〜ｎの構成を説明する。図３は、第１実施形態におけるエージェント２００、コンテンツサーバ１０８、及びキャッシュサーバ１０５−１〜ｎの構成を示す図である。エージェント２００、コンテンツサーバ１０８、及びキャッシュサーバ１０５−１〜ｎは、処理部１０と、記憶部１１と、通信部１２と、入出力部１４と、内部バス１４とを備える。また、処理部１０と、記憶部１１と、通信部１２と、入出力部１４とは、それぞれ内部バス１４で電気的に接続されて信号の送受信が可能である。記憶部１１は、ＲＯＭ（Ｒｅａｄ  Ｏｎｌｙ  Ｍｅｍｏｒｙ）や、ＲＡＭ（Ｒａｎｄｏｍ  Ａｃｃｅｓｓ  Ｍｅｍｏｒｙ）や、ＨＤＤ（Ｈａｒｄ  Ｄｉｓｋ  Ｄｒｉｖｅ）等で構成され、エージェント２００、コンテンツサーバ１０８、及びキャッシュサーバ１０５−１〜ｎの各機能を実現するための処理用プログラムや、データ等を記録している。処理部１０は、ＣＰＵ（Ｃｅｎｔｒａｌ  Ｐｒｏｃｅｓｓｉｎｇ  Ｕｎｉｔ）等で構成され、記憶部１１に記録された処理用プログラムを実行することで、エージェント２００、コンテンツサーバ１０８、及びキャッシュサーバ１０５−１〜ｎの機能を実現する。通信部１２は、通信ポート等で構成され、他の装置との通信を行う。入出力部１３は、キーボード、マウス、ＬＣＤ（Ｌｉｑｕｉｄ  Ｃｒｙｓｔａｌ  Ｄｉｓｐｌａｙ）等で構成される。なお、エージェント２００、コンテンツサーバ１０８、及びキャッシュサーバ１０５−１〜ｎの各機能は、プログラムで実現することも可能であるし、ハードウェアで実現することも可能である。
【００３２】
次に、図４は、本実施形態におけるエージェント２００の機能ブロック図である。エージェント２００の各機能は、上述によるエージェント２００の構成によって実現される。エージェント２００は、同期処理管理部２０１と、コンテンツ管理部２０２と、位置情報管理部２０３と、位置情報管理テーブル２０４と、サーバ判定部２０５と、通信処理部２０６とを備える。
【００３３】
位置情報管理テーブル２０４は、ＡＰ１０４−１〜ｎの位置情報を、ＡＰ１０４−１〜ｎに対応させて記録している。また、位置情報管理テーブル２０４は、利用者の移動予定経路３２を記録している。移動予定経路３２は、利用者の行動予定である。例えば、移動予定経路３２は、ある特定の日の移動予定や、或いは、毎日、毎週といった反復継続的な移動経路である。移動予定経路３２は、利用者によって、携帯端末１００から、あるいはその他の情報端末からエージェント２００へアクセスして、予め登録されている。
【００３４】
位置情報管理部２０３は、コンテンツダウンロード要求に含まれる携帯端末１００の位置情報と、位置情報管理テーブル２０４に記録されたＡＰ１０４−１〜ｎの位置情報、あるいは位置情報管理テーブル２０４に記録された移動予定経路３２に基づいて、指定ＡＰを決定する。位置情報管理部２０３は、携帯端末１００からコンテンツダウンロード要求を受信すると、指定ＡＰを決定して、サーバ判定部２０５へ通知する。
【００３５】
サーバ判定部２０５は、位置情報管理部２０３が決定した指定ＡＰに対応する指定キャッシュサーバを決定する。サーバ判定部２０５は、各ＡＰ１０４−１〜ｎとキャッシュサーバ１０５−１〜ｎとを対応させて記録している。サーバ判定部２０５は、位置情報管理部２０３から指定ＡＰを通知されると、指定ＡＰに対応する指定キャッシュサーバを決定して、コンテンツ管理部２０２と、同期処理管理部２０１へ通知する。
【００３６】
コンテンツ管理部２０２は、指定キャッシュサーバへ、コンテンツ同期要求を送信する。コンテンツ管理部２０２は、携帯端末１００からＡＰ到達通知を受信すると、携帯端末１００が無線エリア内へ到達した指定ＡＰに対応する指定キャッシュサーバへ、コンテンツ同期要求を送信する。
【００３７】
同期処理管理部２０１は、携帯端末１００へのコンテンツのダウンロードが中断した場合に、ダウンロードが完了したコンテンツデータの部分（以下、データ部分）を記憶する。携帯端末１００が、複数の指定ＡＰの間を移動する場合、一つの指定ＡＰのみでは所望コンテンツのダウンロードが完了しない場合がある。同期処理管理部２０１は、携帯端末１００に対してタウンロードの完了したデータ部分を記憶することで、再度、別の指定キャッシュサーバからダウンロードを行う場合には、当該データ部分からダウンロードを再開するように要求する。そのため、重複してデータのダウンロードが行われることを防ぎ、所望コンテンツの効率よいダウンロードを実現できる。
【００３８】
以上が、本実施形態におけるコンテンツダウンロードシステムの構成の説明である。
【００３９】
［動作方法の説明］
次に、本実施形態におけるコンテンツダウンロードシステムの動作方法の説明を行う。本実施形態において、利用者は、コンテンツをダウンロードするにあたり優先度を選択することができる。優先度とは、利用者が、コンテンツをどれほど緊急に必要としているかを表す度合である。本実施形態にでは、３種類の優先度に分類する場合を説明する。３種類の優先度は、高優先、中優先、低優先である。３種類の優先度のうち、高優先が最も緊急性が高く、低優先が最も緊急性が低い。高優先の場合、携帯端末１００は、移動体通信ネットワーク（ＮＷ−Ａ１０１および基地局１０２−１〜ｎ）を使用して、コンテンツをダウンロードする。中優先の場合、携帯端末１００は、エージェント２００から通知された、指定ＡＰの配下へ移動して、コンテンツをダウンロードする。低優先の場合、携帯端末１００は、携帯端末１００の移動に応じて適切なＡＰ１０４−１〜ｎを選択して、コンテンツをダウンロードする。
【００４０】
（高優先の場合の動作方法）
まず、本実施形態において、利用者が高優先でのコンテンツ取得を選択した場合の動作方法の説明を行う。図５は、本実施形態における、優先度が高優先である場合のコンテンツダウンロードシステムの動作フローである。高優先の場合、携帯端末１００は、移動体通信ネットワーク（ＮＷ−Ａ１０１および基地局１０２−１〜ｎ）を使用して、コンテンツをダウンロードする。
【００４１】
（ステップＳ１０）
利用者は、携帯端末１００へコンテンツの取得要求を入力する。本実施形態において、利用者は、コンテンツの取得要求を入力する際に、優先度の入力を行う。図６は、本実施形態におけるコンテンツの優先度を選択する選択画面を示す図である。利用者は、図６に示すような選択画面によって、コンテンツの優先度を選択することができる。優先度の設定は、利用者がコンテンツの取得要求を入力する度に行っても良いし、コンテンツの種類によって予め設定されていても良い。本説明では、利用者は、優先度を高優先に選択する事とする。携帯端末１００は、コンテンツの取得要求が入力されると、所望のコンテンツ（以下、所望コンテンツ）のコンテンツダウンロード要求（図面では、コンテンツ取得要求と示す。）に、携帯端末１００の現在の位置情報と優先度とを含めて、移動体通信ネットワークを使用してエージェント２００へ送信する。コンテンツダウンロード要求は、所望コンテンツを格納するコンテンツサーバ１０８や、コンテンツサーバ１０８内の所望コンテンツの格納位置を示すＵＲＬ（Ｕｎｉｆｏｒｍ  Ｒｅｓｏｕｒｃｅ  Ｌｏｃａｔｏｒ）等を含む。情報移動体通信ネットワーク及びインターネット１０７は、コンテンツダウンロード要求をエージェント２００へ転送する。
【００４２】
（ステップＳ２０）
エージェント２００は、コンテンツダウンロード要求を受信する。エージェント２００は、コンテンツダウンロード要求に基づいて、所望コンテンツを格納するコンテンツサーバ１０８へ所望のコンテンツダウンロード要求を送信する。
【００４３】
（ステップＳ３０）
コンテンツサーバ１０８は、エージェントからコンテンツダウンロード要求を受信する。コンテンツサーバ１０８は、所望コンテンツをエージェント２００へ送信する。なお、エージェント２００によるコンテンツサーバ１０８からのコンテンツ取得に関しては、従来技術によるため説明を省略する。
【００４４】
（ステップＳ４０）
エージェント２００は、コンテンツサーバ１０８から所望コンテンツを取得する。エージェント２００は、携帯端末１００からのコンテンツダウンロード要求に含まれた優先度に基づいて、携帯端末１００へのコンテンツダウンロード方法を決定する。本説明において、優先度は、高優先に設定されている。エージェント２００は、所望コンテンツを、移動体通信ネットワークを使用して携帯端末１００へ送信する。
【００４５】
（ステップＳ５０）
携帯端末１００は、移動体通信ネットワーク経由で所望コンテンツを受信する。
【００４６】
以上が、本実施形態において、優先度を高優先に設定した場合のコンテンツダウンロードシステムの動作方法である。優先度を高優先に設定している場合には、移動体通信ネットワークの広い無線エリアを利用して所望コンテンツのダウンロードを行うことができる。
【００４７】
（中優先の場合の動作方法）
次に、本実施形態において、利用者が中優先でのコンテンツ取得を選択した場合の動作方法の説明を行う。図７は、本実施形態における優先度が中優先である場合のコンテンツダウンロードシステムの動作フローである。中優先の場合、携帯端末１００は、エージェント２００から通知された、指定ＡＰの配下へ移動して、コンテンツをダウンロードする。
【００４８】
（ステップＳ１００）
利用者は、携帯端末１００へコンテンツの取得要求を入力する。本説明では、利用者は、優先度を中優先に選択する事とする。携帯端末１００は、コンテンツの取得要求が入力されると、所望コンテンツのコンテンツダウンロード要求に、携帯端末１００の現在の位置情報と優先度とを含めて、移動体通信ネットワークを使用してエージェント２００へ送信する。コンテンツダウンロード要求は、所望コンテンツを格納するコンテンツサーバ１０８や、コンテンツサーバ１０８内の所望コンテンツの格納位置を示すＵＲＬ（Ｕｎｉｆｏｒｍ  Ｒｅｓｏｕｒｃｅ  Ｌｏｃａｔｏｒ）等を含む。情報移動体通信ネットワーク及びインターネット１０７は、コンテンツダウンロード要求をエージェント２００へ転送する。
【００４９】
（ステップＳ１１０）
エージェント２００は、コンテンツダウンロード要求を受信する。エージェント２００は、コンテンツダウンロード要求に基づいて、所望コンテンツを格納するコンテンツサーバ１０８へ所望コンテンツのコンテンツダウンロード要求を送信する。
【００５０】
（ステップＳ１２０）
コンテンツサーバ１０８は、エージェント２００からコンテンツダウンロード要求を受信する。コンテンツサーバ１０８は、所望コンテンツをエージェント２００へ送信する。なお、エージェント２００によるコンテンツサーバ１０８からのコンテンツ取得に関しては、従来技術によるため説明を省略する。
【００５１】
（ステップＳ１３０）
エージェント２００は、コンテンツサーバ１０８から所望コンテンツを取得する。エージェント２００は、携帯端末１００からのコンテンツダウンロード要求に含まれた優先度に基づいて、携帯端末１００へのコンテンツダウンロード方法を決定する。本説明において、優先度は、中優先に設定されている。エージェント２００は、優先度が中優先と判断すると、コンテンツダウンロード要求に含まれた携帯端末１００の位置情報に基づいて指定ＡＰを決定する。位置情報管理部２０３は、携帯端末１００の位置情報と、位置情報管理テーブル２０４に記録されているＡＰ１０４−１〜ｎの位置情報とに基づいて、指定ＡＰを決定する。
【００５２】
図８は、本実施形態における優先度が中優先である場合に位置情報管理部２０３が指定ＡＰを決定するときの概念図である。図８を参照すると、基地局１０２の無線エリア１２０−２と、ＡＰ１０４−２、４、５の無線エリア１２１−２、４，５が存在する。距離２０、２１、２２は、それぞれ携帯端末１００からＡＰ１０４−２、４、５への距離である。本実施形態において、位置情報管理部２０３は、ＡＰ１０４−２、４、５のうちから最も携帯端末１００との距離の近いＡＰを指定ＡＰと決定する。例えば、図８を参照すると、距離２１が最も距離が近い。そのため、この場合、位置情報管理部２０３は、ＡＰ１０４−４を指定ＡＰと決定する。位置情報管理部２０３は、指定ＡＰの情報を、サーバ判定部２０５へ出力する。サーバ判定部２０５は、位置情報管理部２０３から指定ＡＰを入力する。サーバ判定部２０５は、指定ＡＰに対応する指定キャッシュサーバを決定する。サーバ判定部２０５は、指定キャッシュサーバをコンテンツ管理部２０２へ通知する。
【００５３】
（ステップＳ１４０）
コンテンツ管理部２０２は、サーバ判定部２０５から指定キャッシュサーバを通知される。コンテンツ管理部２０２は、所望コンテンツを指定キャッシュサーバへ送信する。指定キャッシュサーバは、所望コンテンツを受信して記憶する。
【００５４】
（ステップＳ１５０）
サーバ判定部２０５は、携帯端末１００へ、指定ＡＰの通知（以下、ＡＰ情報通知）を行う。サーバ判定部２０５は、指定ＡＰの位置情報を含めてＡＰ情報通知を送信する。ＡＰ情報通知は、移動体通信ネットワークを使用して転送される。携帯端末１００は、エージェント２００からＡＰ情報通知を受信すると、利用者へ指定ＡＰの位置を通知する。携帯端末１００が、指定ＡＰの情報を利用者へ通知する方法としては、地図データ上に携帯端末１００の位置と指定ＡＰの位置とを表示して通知する方法としても良いし、サーバ判定部２０５に予め指定ＡＰの位置情報に対応するビル名やスポット名が記録されるのであれば、その名称で通知する方法でもよい。指定ＡＰの情報を利用者へ通知する方法は、通知を受けた利用者が、指定ＡＰの無線エリア内へ移動することが可能となるような通知方法であれば、これらに限定しない。このように、本実施形態において、エージェント２００は、利用者へ指定ＡＰの位置を通知して、利用者に指定ＡＰの無線エリア配下へ移動するように促す。
【００５５】
（ステップＳ１６０）
利用者は、指定ＡＰの無線エリア内へ移動する。なお、利用者が、ＡＰ情報通知で通知された指定ＡＰへ移動したくない場合には、他の優先度へ変更することによってコンテンツのダウンロードを行う。例えば、利用者への指定ＡＰの通知画面に「他の優先度へ変更する。」といった項目を設けておく。携帯端末１００は、利用者がこのような項目を選択した場合、エージェント２００に対して優先度の変更要求を送信する。エージェント２００は、変更要求受信すると、変更要求に含まれる優先度に対応したコンテンツダウンロード方法へ変更する方法でもよい。
【００５６】
（ステップＳ１７０）
携帯端末１００は、指定ＡＰの無線エリア内に入ったことを検知すると、エージェント２００へ対してＡＰ到達通知を送信する。携帯端末１００は、指定ＡＰの無線エリアに入ったことを、指定ＡＰの送信する報知情報によって検出する。ＡＰ１０４−１〜ｎ（指定ＡＰを含む。）は、報知情報に、各ＡＰのＥＳＳＩＤ（Ｅｘｔｅｎｄ  Ｓｅｒｖｉｃｅ  Ｓｅｔ  ＩＤｅｎｔｉｆｉｅｒ）やＭＡＣ（Ｍｅｄｉａ  Ａｃｃｅｓｓ  Ｃｏｎｔｒｏｌ）アドレス等、ＡＰの識別子を含めて送信している。携帯端末１００は、指定ＡＰの識別子を、エージェント２００から受信するＡＰ情報通知により取得する方法が考えられる。携帯端末１００は、ＡＰ情報通知に含まれた指定ＡＰの識別子と、ＡＰ１０４−１〜ｎの送信する報知情報に含まれるＡＰ１０４−１〜ｎの識別情報とが一致する場合に、指定ＡＰの無線エリアへ到達したと検出する。また、指定ＡＰ側から携帯端末１００の識別子に対する一斉呼び出しを行って、携帯端末１００が一斉呼び出しに応答する方法としてもよい。この場合は、指定キャッシュサーバが、エージェント２００から所望コンテンツデータを受信するときに、同時に携帯端末１００の識別子を取得する方法が考えられる。指定キャッシュサーバは、携帯端末１００の識別子を指定ＡＰへ通知する。これにより、指定ＡＰは、通知された携帯端末１００の識別子を含めて、指定ＡＰの無線エリア内に対して一斉呼び出しを行うことができる。携帯端末１００は、ＡＰ到達通知を、移動体通信システムあるいは高速無線アクセスシステムのいずれかを使用して、エージェント２００へ通知する。
【００５７】
（ステップＳ１８０）
エージェント２００は、携帯端末１００からＡＰ到達通知を受信する。エージェント２００は、ＡＰ到達通知を受信することで携帯端末１００が指定ＡＰの無線エリア配下に存在することを検知する。同期処理管理部２０１は、指定キャッシュサーバへ、所望コンテンツのコンテンツ同期要求を送信する。
【００５８】
（ステップＳ１９０）
指定キャッシュサーバは、エージェント２００から、コンテンツ同期要求を受信する。指定キャッシュサーバは、記憶している所望コンテンツを、携帯端末１００へダウンロード（同期処理）を行う。
【００５９】
（ステップＳ２００）
携帯端末１００は、指定ＡＰとの無線通信を行って、指定キャッシュサーバから所望コンテンツをダウンロードする。
【００６０】
（ステップＳ２１０）
指定キャッシュサーバは、携帯端末１００への所望コンテンツのダウンロード（同期処理）が完了すると、エージェント２００へ同期処理完了通知を送信する。
【００６１】
（ステップＳ２２０）
コンテンツ管理部２０２は、指定キャッシュサーバから同期処理完了通知を受信する。コンテンツ管理部２０２は、他の利用者が、当該指定キャッシュサーバの当該所望コンテンツを必要としていない場合には、コンテンツの削除要求（以下、キャッシュ削除要求）を、指定キャッシュサーバへ送信する。
【００６２】
（ステップＳ２３０）
指定キャッシュサーバは、エージェント２００からキャッシュ削除要求を受信すると、所望コンテンツを削除する。
【００６３】
以上が、本実施形態において、優先度を中優先に設定した場合のコンテンツダウンロードシステムの動作方法である。エージェント２００は、携帯端末１００の位置情報と、ＡＰ１０４−１〜ｎの位置情報とに基づいて指定ＡＰを定め、指定ＡＰに対応する指定キャッシュサーバへ所望コンテンツを送信する。また、利用者は、エージェント２００から通知される指定ＡＰの位置情報を、携帯端末１００で確認する。このようにすることで、利用者は、利用者の位置から近く、高速なデータ通信が可能な指定ＡＰを知ることができ、指定ＡＰ配下へ移動し、高速なデータ通信によって効率的にコンテンツをダウンロードすることが可能となる。また、利用者が指定ＡＰ配下へ移動したくない場合には、優先度を変更することで、他のコンテンツ取得方法へ変更することも可能である。
【００６４】
なお、利用者が移動しているような場合には、携帯端末１００が、現在の携帯端末１００の位置情報を含めて、指定ＡＰの更新要求をエージェント２００へ送信できるようにしても良い。エージェント２００は、更新要求を受信すると、現在の携帯端末１００の位置情報に基づいて、再度、指定ＡＰを選択する方法としても良い。また、利用者が、いくつかの指定ＡＰ候補から指定ＡＰを選択する方法としても良い。エージェント２００は、複数の指定ＡＰ候補を抽出して、携帯端末１００へ送信する。利用者は、複数の指定ＡＰ候補のうちから、一つのＡＰを指定ＡＰと選択して携帯端末１００へ入力する。携帯端末１００は、利用者により選択された当該指定ＡＰをエージェント２００へ通知する。エージェント２００は、携帯端末１００から通知された当該指定ＡＰに対応する指定キャッシュサーバを決定して、当該指定キャッシュサーバへ所望コンテンツを送信する。このような動作方法としても良い。
【００６５】
（低優先の場合の動作方法）
次に、本実施形態において、利用者が低優先でのコンテンツ取得を選択した場合の動作方法の説明を行う。図９は、本実施形態における優先度が低優先である場合のコンテンツダウンロードシステムの動作フローである。低優先の場合、携帯端末１００は、携帯端末１００の移動に応じて適切なＡＰ１０４−１〜ｎを選択して、コンテンツをダウンロードする。なお、本説明において、利用者は、予め、位置情報管理テーブル２０４へ行動予定を記録しているものとする。
【００６６】
（ステップＳ３００）
利用者は、携帯端末１００へコンテンツの取得要求を入力する。本説明では、利用者は、優先度を低優先に選択する事とする。携帯端末１００は、コンテンツの取得要求が入力されると、所望コンテンツのコンテンツダウンロード要求に、携帯端末１００の現在の位置情報と優先度とを含めて、移動体通信ネットワークを使用してエージェント２００へ送信する。コンテンツダウンロード要求は、所望コンテンツを格納するコンテンツサーバ１０８や、コンテンツサーバ１０８内の所望コンテンツの格納位置を示すＵＲＬ（Ｕｎｉｆｏｒｍ  Ｒｅｓｏｕｒｃｅ  Ｌｏｃａｔｏｒ）等を含む。移動体通信ネットワーク及びインターネット１０７は、コンテンツダウンロード要求をエージェント２００へ転送する。
【００６７】
（ステップＳ３１０）
エージェント２００は、コンテンツダウンロード要求を受信する。エージェント２００は、コンテンツダウンロード要求に基づいて、所望コンテンツを格納するコンテンツサーバ１０８へ所望コンテンツのコンテンツダウンロード要求を送信する。
【００６８】
（ステップＳ３２０）
コンテンツサーバ１０８は、エージェントからコンテンツダウンロード要求を受信する。コンテンツサーバ１０８は、所望コンテンツをエージェント２００へ送信する。なお、エージェント２００によるコンテンツサーバ１０８からのコンテンツ取得に関しては、従来技術によるため説明を省略する。
【００６９】
（ステップＳ３３０）
エージェント２００は、コンテンツサーバ１０８から所望コンテンツを取得する。エージェント２００は、携帯端末１００からのコンテンツダウンロード要求に含まれた優先度に基づいて、携帯端末１００へのコンテンツダウンロード方法を決定する。本説明において、優先度は、低優先に設定されている。エージェント２００は、優先度が低優先と判断すると、コンテンツダウンロード要求に含まれた携帯端末１００の位置情報に基づいて指定ＡＰを決定する。位置情報管理部２０３は、携帯端末１００の位置情報と、位置情報管理テーブル２０４に記録されている利用者の行動予定とに基づいて、指定ＡＰを決定する。
【００７０】
ここで、図１０は、本実施形態における優先度が低優先の場合に位置情報管理部２０３が指定ＡＰを決定するときの概念図である。図１０を参照すると、基地局１０２−１〜３の無線エリア１２０−１〜３と、ＡＰ１０４−１〜６の無線エリア１２１−１〜６が、存在している。位置情報管理テーブル２０４は、利用者の出発地点３０から到着地点３１までの移動予定経路３２を記録している。利用者の移動予定経路３２は、そのまま携帯端末１００の移動予定経路３２と考えることができる。移動予定経路３２は、利用者によって予め位置情報管理テーブル２０４へ記録されている。本説明では一つの移動予定経路３２のみを示しているが、複数の移動予定経路３２が登録される。ここで、出発地点３０は、例えば、自宅であり、到着地点３１は、例えば、学校や会社等である。移動予定経路３２は、通勤経路のような良く使用する経路を登録しても良いし、旅行や出張のような一度きりとなるような経路を登録してもよい。また、移動予定経路３２は、地図を使用して経路を登録しても良いし、例えば、途中の駅やバス停のような通過点を登録することによって行っても良い。
【００７１】
携帯端末１００が、移動予定経路３２を移動する事によって、いくつかのＡＰの無線エリアを通過する。本説明では、ＡＰ１０４−１、２、６の無線エリア１２１−１、２、６を通過する。位置情報管理部２０３は、ＡＰ１０４−１、２、６を指定ＡＰとして決定する。位置情報管理部２０は、ＡＰ１０４−１〜ｎの無線エリアの範囲を予め記録して、移動予定経路３２が通過する無線エリアを提供するＡＰ１０４−ｎを指定ＡＰとして決定しても良い。あるいは、予定移動経路３２から位置情報が近いＡＰを指定ＡＰとして選択してもよい。このようにすることで、無線エリアを通過する事が確実ではないＡＰについても指定ＡＰとすることができ、仮に当該ＡＰの無線エリア配下を携帯端末１００が通過した場合にもコンテンツのダウンロードを行うことができる。
【００７２】
位置情報管理部２０３は、指定ＡＰをサーバ判定部２０５へ通知する。サーバ判定部２０５は、指定ＡＰに対応する指定キャッシュサーバを特定する。本説明において、サーバ判定部２０５は、指定ＡＰであるＡＰ１０４−１、２、６に対応するキャッシュサーバ１０５−１、２、６（図示せず）を指定キャッシュサーバとして決定する。サーバ判定部２０５は、指定キャッシュサーバをコンテンツ管理部２０２へ通知する。
【００７３】
（ステップＳ３４０）
コンテンツ管理部２０２は、サーバ判定部２０５から指定キャッシュサーバを通知される。コンテンツ管理部２０２は、所望コンテンツを指定キャッシュサーバへ送信する。指定キャッシュサーバは、所望コンテンツを受信して記憶する。なお、コンテンツ管理部２０２は、サーバ判定部２０５から指定キャッシュサーバを複数通知されたときは、各指定キャッシュサーバへ所望コンテンツを送信する。
【００７４】
（ステップＳ３５０）
利用者は、予定移動経路３２に沿って、指定ＡＰの無線エリア内へ移動する。
【００７５】
（ステップＳ３６０）
携帯端末１００は、指定ＡＰの無線エリア内に入ったことを検知すると、エージェント２００へＡＰ到達通知を送信する。携帯端末１００は、優先度が低優先の場合、いずれのＡＰが指定ＡＰであるかを検知していない。そのため、携帯端末１００は、ＡＰの無線エリアに入るたびにＡＰ到達通知を送信する。携帯端末１００は、現在、携帯端末１００の存在する無線エリアの指定ＡＰ（以下、到達指定ＡＰ）の識別子をＡＰ到達通知に含めて、エージェント２００へ送信してもよい。エージェント２００は、指定ＡＰの識別子によって、複数の指定ＡＰのうち、いずれの指定ＡＰの無線エリアに携帯端末１００が到達したのかを判定することができる。
【００７６】
（ステップＳ３７０）
エージェント２００は、携帯端末１００からＡＰ到達通知を受信する。エージェント２００は、ＡＰ到達通知を受信することで携帯端末１００が、到達指定ＡＰの無線エリア配下に存在することを検知する。同期処理管理部２０１は、到達指定ＡＰに対応する指定キャッシュサーバ（以下、到達指定キャッシュサーバ）へ、所望コンテンツのコンテンツ同期要求を送信する。
【００７７】
（ステップＳ３８０）
到達指定キャッシュサーバは、エージェント２００から、コンテンツ同期要求を受信する。到達指定キャッシュサーバは、記憶している所望コンテンツを、携帯端末１００へダウンロード（同期処理）を行う。
【００７８】
（ステップＳ３９０）
携帯端末１００は、指定ＡＰとの無線通信を行って、指定キャッシュサーバから所望コンテンツをダウンロードする。
【００７９】
（ステップＳ４００）
携帯端末１００が、移動をしている場合、一つの到達指定ＡＰを通過する間に所望コンテンツのダウンロードが完了しない場合がある。到達指定キャッシュサーバは、コンテンツのダウンロードが完了しないうちに、携帯端末１００が到達指定ＡＰの無線エリア外へ移動した場合には、携帯端末１００に対して所望コンテンツのデータをどの部分までダウンロード（同期処理）できたかを示す情報（以下、同期情報）をエージェント２００へ通知する。エージェント２００の同期処理管理部２０１は、到達指定キャッシュサーバから同期情報を取得して記憶する。このようにすることで、携帯端末１００が、次に別の指定ＡＰの無線エリアに入った場合に、前回ダウンロードを中断したデータ部分から、所望コンテンツのダウンロードを再開することができる。すなわち、携帯端末１００は、次に別の指定ＡＰの無線エリア内に移動すると、ＡＰ到達通知をエージェント２００へ送信する。エージェント２００は、再び携帯端末１００からＡＰ到達通知を受信する。同期処理管理部２０１は、記憶している同期情報に基づいて、当該携帯端末１００に対する所望コンテンツのデータにおけるダウンロード再開位置を特定する。同期処理管理部２０１は、ダウンロード再開位置を、現在の到達指定ＡＰに対応する到達指定キャッシュサーバへ通知する。現在の到達指定キャッシュサーバは、エージェント２００から通知されたデータ部分から所望コンテンツのダウンロード（同期処理）を行う。このように、コンテンツダウンロードシステムは、携帯端末１００が所望コンテンツのダウンロードが完了するまで、ステップＳ３５０からステップＳ４００を繰り返す。
【００８０】
（ステップＳ４１０）
到達指定キャッシュサーバは、携帯端末１００への所望コンテンツのダウンロード（同期処理）が全て完了すると、エージェント２００へ同期処理完了通知を送信する。
【００８１】
（ステップＳ４２０）
コンテンツ管理部２０２は、到達指定キャッシュサーバから同期処理完了通知を受信する。コンテンツ管理部２０２は、他の利用者が、当該所望コンテンツを必要としていない場合には、コンテンツの削除要求（以下、キャッシュ削除要求）を、全ての指定キャッシュサーバへ送信する。
【００８２】
（ステップＳ４３０）
各指定キャッシュサーバは、エージェント２００からキャッシュ削除要求を受信すると、所望コンテンツを削除する。
【００８３】
以上が、本実施形態において、優先度を低優先に設定した場合のコンテンツダウンロードシステムの動作方法である。
【００８４】
本実施形態において、エージェント２００は、携帯端末１００の位置情報と、位置情報管理テーブルに記憶された利用者の移動予定経路３２に基づいて指定ＡＰを決定し、指定ＡＰに対応する指定キャッシュサーバへ所望コンテンツを送信する。携帯端末１００は、指定ＡＰの無線エリアに移動するごとに指定ＡＰに対応する指定キャッシュサーバからコンテンツをダウンロードする。同期処理部２０１は、所望コンテンツのダウンロードが中断した場合、どのデータ部分まで所望コンテンツがダウンロードされたかを記憶する。同期処理部２０１は、再度、携帯端末１００からＡＰ到達通知を受信した時、ダウンロードを再開するべき所望コンテンツのデータ部分を到達指定キャッシュサーバへ通知する。このようにすることで、次の到達指定キャッシュサーバは、所望コンテンツのダウンロードが中断した場合にも、ダウンロード再開するべきデータ部分を検知することができるため、携帯端末１００へ効率よくダウンロードを行うことができる。また、利用者は、予め登録した移動予定経路３２を移動するにしたがって、高速無線アクセスシステムを使用して、効率よく所望コンテンツをダウンロードすることができる。
【００８５】
なお、本実施形態において、エージェント２００は、利用者により予め登録された移動予定経路３２に基づいて、指定ＡＰを決定している。これを、利用者の移動経路の履歴に基づいて、将来の利用者、すなわち携帯端末１００の移動経路を予想して、指定ＡＰを決定する動作方法としても良い。この場合、エージェント２００の位置情報管理テーブル２０４は、携帯端末１００毎に移動経路の履歴を記録する。位置情報管理部２０３は、携帯端末１００の位置情報や、現在の日時や曜日といった情報と、携帯端末１００の移動経路の履歴に基づいて、現在から将来に向けての携帯端末１００の移動経路を予想する。位置情報管理部２０３は、予想した移動経路に基づいて、例えば、予想した移動経路が通過する無線エリアを有するＡＰを指定ＡＰと決定しても良いし、予想した移動経路に近い無線エリアを有するＡＰを指定ＡＰと決定しても良い。
【００８６】
以上が、本実施形態におけるコンテンツダウンロードシステムの動作方法の説明である。
【００８７】
このように、第１実施形態のコンテンツダウンロードシステムによれば、優先度によってコンテンツのダウンロード方法を選択することができる。優先度が高優先の場合、携帯端末１００は、移動体通信ネットワークシステムの広い無線エリアを使用してダウンロードすることができる。また、優先度が中優先の場合、エージェント２００は、携帯端末１００の位置情報に基づいて指定ＡＰを決定し携帯端末１００へ通知する。携帯端末１００は、指定ＡＰの無線エリアへ移動して、高速無線アクセスシステムを使用して所望コンテンツのダウンロードを行う事ができる。さらに、優先度が低優先の場合、エージェント２００は、利用者が予め登録した予定移動経路３２に基づいて複数の指定ＡＰを決定する。携帯端末１００は、指定ＡＰの無線エリアへ移動する度にコンテンツのダウンロードを行う。そのため、利用者が予定移動経路３２に沿って移動する間に、所望コンテンツをダウンロードすることが可能である。エージェント２００は、携帯端末１００が一つの指定ＡＰの無線エリアを通過する間に所望コンテンツのダウンロードが完了しない場合、所望コンテンツのダウンロードが完了したデータ部分までを記憶する。携帯端末１００が、次の指定ＡＰの無線エリアに移動した時には、エージェント２００は、所望コンテンツのダウンロードが完了したデータ部分以降からダウンロードを再開する。そのため、携帯端末１００は、重複して所望コンテンツのダウンロードを行わないため効率的である。
【００８８】
以上が、第１実施形態のコンテンツダウンロードシステムの説明である。
【００８９】
（第２実施形態）
次に、第２実施形態のコンテンツダウンロードシステムの説明を行う。本実施形態では、エージェント２００は、携帯端末１００とエージェント２００との通信状態に基づく各ＡＰの使用状況を取得して、ＡＰの使用状態を考慮して指定ＡＰの決定を行う。
【００９０】
［構成の説明］
はじめに、図１１を使用して本実施形態におけるコンテンツダウンロードシステムの構成の説明を行う。本実施形態のコンテンツダウンロードシステムの構成は、第１実施形態の構成とほぼ同様である。そのため、第１実施形態との違いを有する点を中心に説明を行う。図１１は、本実施形態におけるコンテンツダウンロードシステムの構成を示す図である。
【００９１】
本実施形態のコンテンツダウンロードシステムは、第１実施形態と同様に、携帯端末１００と、ネットワークＡ（以下、ＮＷ−Ａ）１０１と、基地局１０２−１〜ｎと、ネットワークＢ（以下、ＮＷ−Ｂ）１０３と、アクセスポイント（以下、ＡＰ）１０４−１〜ｎと、キャッシュサーバ１０５−１〜ｎと、インターネット１０７と、コンテンツサーバ１０８と、エージェント２００とを備え、さらに、監視装置３００を備える。また、本実施形態におけるエージェント２００は、第１実施形態における構成と異なっている。
【００９２】
まず、監視装置３００の説明を行う。監視装置３００は、携帯端末１００と、エージェント２００との間の通信状況を監視している。監視装置３００は、ＮＷ−Ｂ１０３を構成する中継装置から、中継装置において複製した携帯端末１００とエージェント２００との間の通信データを取得する。監視装置３００は、通信データに基づいて、ＡＰ１０４−１〜ｎのＡＰ統計情報を集計する。ＡＰ統計情報は、各ＡＰの通信状態を表す。ＡＰ統計情報は、各ＡＰのアクセスしている携帯端末１００の数、使用帯域、通信品質のデータを含む。なお、ＡＰ統計情報の含む項目は、これらの項目に限らない。ＡＰ１０４−１〜ｎの通信状態を判定することが可能なデータであれば、別の項目でも構わない。また、監視装置３００は、中継装置におけるデータ複製によって通信データを取得することに限定せず、中継装置の間を接続する光ファイバーに光タップを接続することによって物理的に通信データを取得しても良いし、各ＡＰからＡＰ統計情報を直接取得しても良い。
【００９３】
図１２は、本実施形態における監視装置３００の機能ブロック図である。本実施形態の監視装置３００は、データ受信部３０１と、データ解析部３０２と、情報管理部３０３と、情報送信部３０４とを備える。
【００９４】
データ受信部３０１は、中継装置からの複製された通信データを受信する。データ受信部３０１は、受信した通信データをデータ解析部３０２へ出力する。
【００９５】
データ解析部３０２は、通信データを解析する。データ解析部３０２は、通信データから、送信元及び送信先のＩＰアドレスや、ポート番号、携帯端末１００の識別子、ＡＰの識別子を抽出する。データ解析部３０２は、抽出したデータを情報管理部３０３へ出力する。
【００９６】
情報管理部３０３は、送信元及び送信先のＩＰアドレスや、ポート番号、携帯端末１００の識別子、ＡＰの識別子を元に、各携帯端末１００が、通信に利用しているＡＰの情報、使用帯域、通信品質を検出する。通信品質は、例えば、ＴＣＰを使用している場合には、パケットの再送回数によって決定する。なお、通信品質の決定方法は、この他にも、パケットの送信遅延時間や、ＡＰの障害情報のような情報を取得することで判断することも可能である。情報管理部３０３は、抽出した情報を情報送信部３０４へ出力する。
【００９７】
情報送信部３０４は、情報管理部３０３からデータを取得して、各ＡＰに、アクセスしている携帯端末１００の数、使用帯域、通信品質（以下、ＡＰ統計情報）を集計する。情報送信部３０４は、各ＡＰのＡＰ統計情報をエージェント２００へ出力する。このように、監視装置３００が、出力するＡＰ統計情報によって、エージェント２００は、ＡＰ１０４−１〜ｎの状態情報を取得することができる。なお、情報送信部３０４は、定期的にエージェント２００へＡＰ統計情報を出力する。情報送信部３０４は、予め定められた一定時間ごとにＡＰ統計情報をエージェント２００へ出力しても良いし、ＡＰ統計情報の変化量に一定の閾値を設けておいて、その閾値を超えた場合にＡＰ統計情報をエージェント２００へ出力しても良い。
【００９８】
次に、エージェント２００の説明を行う。本実施形態のエージェント２００は、監視装置３００から取得したＡＰ統計情報に基づいて、指定キャッシュサーバを決定する。
【００９９】
図１３は、本実施形態におけるエージェント２００の機能ブロック図である。本実施形態のエージェント２００の各機能は、第１実施形態と同様の構成によって実現される。エージェント２００は、第１実施形態と同様に、同期処理管理部２０１と、コンテンツ管理部２０２と、位置情報管理部２０３と、位置情報管理テーブル２０４と、サーバ判定部２０５と、通信処理部２０６とを備え、さらに、回線品質管理部２０７と、制御通信部２０８を備える。
【０１００】
制御通信部２０８は、監視装置３００の情報送信部３０４が送信するＡＰ統計情報を受信する。制御通信部２０８は、ＡＰ統計情報を回線品質管理部２０７へ出力する。
【０１０１】
回線品質管理部２０７は、ＡＰ１０４−１〜ｎ毎にＡＰ統計情報を記憶している。
【０１０２】
本実施形態のサーバ判定部２０５は、キャッシュサーバ１０５−１〜ｎのうちから指定キャッシュサーバを決定するに際して、回線品質管理部２０７の保存しているＡＰ統計情報に基づいて、判定を行う。本実施形態のサーバ判定部２０５は、ＡＰ統計情報において、指定ＡＰにアクセスしている携帯端末１００の数、使用帯域、通信品質に対して閾値を設定する。例えば、サーバ判定部２０５は、指定ＡＰへアクセスしている携帯端末１００の数が一定の閾値以上で有る場合は、当該指定ＡＰを指定ＡＰの対象から外す。携帯端末１００が、一定の閾値以上の数、アクセスしているＡＰは、通信転送効率が良くないと考えられるからである。あるいは、サーバ判定部２０５は、指定ＡＰの通信品質において、ＴＣＰの再送パケット数が一定の閾値以上である場合は、当該指定ＡＰを指定ＡＰの対象から外す。ＴＣＰパケットの再送数が一定の閾値を超えていることは、パケットロスが多く、当該指定ＡＰにおける通信品質が低いと考えられるからである。このように、サーバ判定部２０５は、ＡＰ統計情報に基づいて、指定ＡＰを対象から外すか否かの判定を行う。なお、サーバ判定部２０５が行う判定は、上述に限定せず、例えば、指定ＡＰの使用帯域に対して一定の閾値を設けて判定を行っても良いし、あるいは、ＡＰ統計情報がＡＰの障害情報を含む場合、障害となっているＡＰを指定ＡＰから外すように判定を行っても良い。サーバ判定部２０５は、指定ＡＰを対象とするか否かの判定を行い、対象となった指定ＡＰに対応する指定キャッシュサーバを決定する。
【０１０３】
以上が、本実施形態におけるコンテンツダウンロードシステムの構成の説明である。なお、上述した以外の構成については、第１実施形態と同様であるので、説明を省略する。
【０１０４】
［動作方法の説明］
次に、本実施形態のコンテンツダウンロードシステムの動作方法について説明を行う。本実施形態のコンテンツダウンロードシステムの動作方法は、第１実施形態の動作方法とほぼ同様である。そのため、第１実施形態と違いの有る部分を中心に動作方法の説明を行う。
【０１０５】
本実施形態のコンテンツダウンロードシステムの動作方法は、図７で説明を行ったステップＳ１３０、及び図９で説明を行ったステップＳ３３０において、サーバ判定部２０５が、回線品質管理部２０７の記憶しているＡＰ統計情報に基づいて、指定ＡＰを対象とするか否かを判定する動作が追加となる。なお、本説明では、エージェント２００の回線管理部２０７は、予め、監視装置３００の情報送信部３０４からＡＰ統計情報を受信して、記憶しているものとする。
【０１０６】
本実施形態のステップＳ１３０、及びステップＳ３３０において、サーバ判定部２０５は、位置情報管理部２０３から指定ＡＰを入力する。サーバ判定部２０５は、回線品質管理部２０７へ指定ＡＰのＡＰ統計情報を問い合せる。サーバ判定部２０５は、回線品質管理部２０３から取得した、指定ＡＰのＡＰ統計情報に基づいて、指定ＡＰを対象とするか否かの判定を行う。サーバ判定部２０５は、指定ＡＰを対象から外すと判定した場合、当該指定ＡＰを対象から外す。サーバ判定部２０５は、対象となる指定ＡＰに対応する指定キャッシュサーバを決定する。サーバ判定部２０５は、指定キャッシュサーバをコンテンツ管理部２０２へ出力する。
【０１０７】
以上が、本実施形態のコンテンツダウンロードシステムの動作方法の説明である。なお、上述した以外の動作方法については、第１実施形態と同様であるので、説明を省略する。
【０１０８】
このように、第２実施形態のコンテンツダウンロードシステムによれば、監視装置３００は、ＡＰ統計情報を集計してエージェント２００へ送信する。エージェント２００は、ＡＰ統計情報に基づいて指定ＡＰを対象とするか否かを判定し、対象とする指定ＡＰに対応する指定キャッシュサーバを決定する。このように構成することで、エージェント２００は、ＡＰの利用状態に応じて、指定ＡＰを決定することが可能となる。そのため、携帯端末１００は、状態の良いＡＰを利用してコンテンツのダウンロードが可能となる。
【０１０９】
以上が、第２実施形態のコンテンツダウンロードシステムの説明である。
【０１１０】
ここまで、実施形態を参照して本願発明を説明したが、本願発明は、上記実施形態に限定されるものではない。本願発明の構成や詳細には、本発明のスコープ内で当業者が理解し得る様々な変更をすることができる。
【０１１１】
なお、本出願は、２００８年９月２日に、日本出願番号２００８−２２５１７３に基づく優先権を主張するものであり、日本出願番号２００８−２２５１７３における開示内容は引用により本出願に組み込まれる。
【図１】
2010026799.tif 000003
【図２】
2010026799.tif 000004
【図３】
2010026799.tif 000005
【図４】
2010026799.tif 000006
【図５】
2010026799.tif 000007
【図６】
2010026799.tif 000008
【図７】
2010026799.tif 000009
【図８】
2010026799.tif 000010
【図９】
2010026799.tif 000011
【図１０】
2010026799.tif 000012
【図１１】
2010026799.tif 000013
【図１２】
2010026799.tif 000014
【図１３】
2010026799.tif 000015
【手続補正書】
【提出日】平成21年8月12日(2009.8.12)
【手続補正１】
【補正対象書類名】特許請求の範囲
【補正対象項目名】全文
【補正方法】変更
【補正の内容】
【特許請求の範囲】
【請求項１】
第１無線エリアを構成して第１通信速度で通信を行う第１無線通信ネットワークと、
前記第１無線エリアより無線エリアの狭い第２無線エリアを構成して前記第１通信速度より通信速度の速い第２通信速度で通信を行う第２無線通信ネットワークと、
前記第２無線通信ネットワークは、
前記第２無線エリアを構成するアクセスポイントと、
前記アクセスポイントに対応して設置され、コンテンツを一時的に記憶するキャッシュサーバとを具備し、
前記コンテンツを記憶するコンテンツサーバと、
前記第１無線通信ネットワークを介して、現在の位置情報を含めた前記コンテンツのダウンロード要求を送信する携帯端末と、
前記アクセスポイントの位置情報と、前記アクセスポイントと対応する前記キャッシュサーバとを、前記アクセスポイント毎に対応させて記録するエージェントと
を備え、
前記エージェントは、前記携帯端末の移動するべき移動予定経路を記憶して、前記ダウンロード要求を受信すると、前記コンテンツサーバから前記コンテンツを取得して、前記アクセスポイントの位置情報と前記移動予定経路とに基づいて前記アクセスポイントのうちから複数の指定アクセスポイントを決定して、前記キャシュサーバのうちから前記複数の指定アクセスポイントの各々に対応する複数の指定キャッシュサーバを特定して、前記複数の指定キャッシュサーバの各々へ前記コンテンツをキャッシュし、
前記携帯電話は、前記複数の指定アクセスポイントのうちの到達指定アクセスポイントの無線エリア内に移動し、
前記複数の指定キャッシュサーバのうち前記到達指定アクセスポイントに対応する到達指定キャッシュサーバは、前記携帯電話端末が前記到達指定アクセスポイントの無線エリア内へ移動すると、前記到達指定アクセスポイントを介して、前記携帯端末へ前記コンテンツを送信する
コンテンツダウンロードシステム。
【請求項２】
請求の範囲１に記載のコンテンツダウンロードシステムであって、
前記エージェントは、前記指定キャッシュサーバへ前記コンテンツをキャッシュすると、前記指定アクセスポイントの位置情報を前記携帯端末へ通知する
コンテンツダウンロードシステム。
【請求項３】
請求の範囲２に記載のコンテンツダウンロードシステムであって、
前記携帯端末は、前記指定アクセスポイントの無線エリア内に移動したと検知すると、前記エージェントへ、前記指定アクセスポイントの無線エリア内への到達通知を送信し、
前記エージェントは、前記到達通知を受信すると、前記指定キャッシュサーバへ前記コンテンツの同期命令を送信し、
前記キャッシュサーバは、前記同期命令を受信すると、前記コンテンツを前記携帯端末へ送信する
コンテンツダウンロードシステム。
【請求項４】
請求の範囲３に記載のコンテンツダウンロードシステムであって、
前記エージェントは、前記携帯電話端末の位置情報と前記アクセスポイントの位置情報とに基づいて、前記携帯電話端末と最も距離の近い前記アクセスポイントを、前記指定アクセスポイントと決定する
コンテンツダウンロードシステム。
【請求項５】
（削除）
【請求項６】
請求の範囲１に記載のコンテンツダウンロードシステムであって、
前記携帯端末は、異なる前記アクセスポイントの無線エリアへ移動する度に、前記エージェントへ到達通知を送信し、
前記エージェントは、前記到達通知を受信すると前記携帯端末が移動した無線エリアを構成する前記アクセスポイントが前記複数の指定アクセスポイントのうちのいずれかである場合には、当該指定アクセスポイントを前記到達指定アクセスポイントとして当該到達指定アクセスポイントに対応する前記到達指定キャッシュサーバへ前記コンテンツの同期命令を通知し、
前記到達指定キャッシュサーバは、前記同期命令を受信すると、前記到達指定アクセスポイントを介して、前記コンテンツを前記携帯端末へ送信する
コンテンツダウンロードシステム。
【請求項７】
請求の範囲６に記載のコンテンツダウンロードシステムであって、
前記エージェントは、前記アクセスポイントの位置情報と前記移動予定経路とに基づいて、前記移動予定経路に近い前記アクセスポイントを複数の指定アクセスポイントとして決定する
コンテンツダウンロードシステム。
【請求項８】
請求の範囲７に記載のコンテンツダウンロードシステムであって、
前記各指定キャッシュサーバは、前記各指定キャッシュサーバに対応する前記各指定アクセスポイントの無線エリア内から当該無線エリア外へ前記携帯端末が移動するまで間に前記コンテンツのダウンロードが完了しない場合、前記コンテンツのうちダウンロードが完了したデータ部分を前記エージェントへ通知し、
前記エージェントは、前記携帯端末が他の到達指定アクセスポイントの無線エリア内へ移動すると、前記他の到達指定アクセスポイントに対応する他の到達指定キャッシュサーバへ前記データ部分を通知し、
前記他の到達指定キャッシュサーバは、前記データ部分に基づいて前記コンテンツのダウンロード再開位置を決定して、前記コンテンツを前記ダウンロード再開位置から、前記到達指定アクセスポイントを介して、前記携帯端末へ送信する
コンテンツダウンロードシステム。
【請求項９】
請求の範囲８に記載のコンテンツダウンロードシステムであって、
前記エージェントは、前記携帯端末の移動経路の履歴を記録して、
前記履歴に基づいて予測した前記移動予定経路を記憶する
コンテンツダウンロードシステム。
【請求項１０】
請求の範囲１から請求の範囲４、及び請求の範囲６から請求の範囲９までのいずれかに記載のコンテンツダウンロードシステムであって、
前記アクセスポイントの通信状態を示すＡＰ統計情報を、前記アクセスポイント毎に集計する監視装置をさらに備え、
前記エージェントは、前記監視装置の集計した前記ＡＰ統計情報に基づいて、前記各指定アクセスポイントのうち前記通信状態の良好なアクセスポイントを、前記指定アクセスポイントと決定する
コンテンツダウンロードシステム。
【請求項１１】
請求の範囲１０に記載のコンテンツダウンロードシステムであって、
前記ＡＰ統計情報は、前記アクセスポイントにアクセスしている前記携帯端末の数、使用帯域、ＴＣＰパケットの再送数に基づく通信品質である
コンテンツダウンロードシステム。
【請求項１２】
請求の範囲１から請求の範囲４、及び請求の範囲６から請求の範囲１１までのいずれかに記載のコンテンツダウンロードシステムにおいて使用されるエージェント。
【請求項１３】
第１無線エリアを構成して第１通信速度で通信を行う第１無線通信ネットワークと、
前記第１無線エリアより無線エリアの狭い第２無線エリアを構成して前記第１通信速度より通信速度の速い第２通信速度で通信を行う第２無線通信ネットワークと、
携帯端末と、エージェントと、コンテンツサーバとを備えるコンテンツダウンロードシステムにおいて、
前記第２無線通信ネットワークは、
前記第２無線エリアを構成するアクセスポイントと、
前記アクセスポイントに対応して設置され、コンテンツを一時的に記憶するキャッシュサーバと、を具備し、
前記コンテンツを記憶するステップと、
前記第１無線通信ネットワークを介して、現在の位置情報を含めた前記コンテンツのダウンロード要求を送信するステップと、
前記アクセスポイントの位置情報と、前記アクセスポイントと対応する前記キャッシュサーバとを、前記アクセスポイント毎に対応させて記録するステップと、
前記携帯端末の移動するべき移動予定経路を記憶するステップと、
前記ダウンロード要求を受信すると前記コンテンツサーバから前記コンテンツを取得するステップと、
前記アクセスポイントの位置情報と前記移動予定経路とに基づいて前記アクセスポイントのうちから複数の指定アクセスポイントを決定するステップと、
前記キャシュサーバのうちから前記複数の指定アクセスポイントの各々に対応する複数の指定キャッシュサーバを特定するステップと、
前記複数の指定キャッシュサーバの各々へ前記コンテンツをキャッシュするステップと、
前記複数の指定アクセスポイントのうちの到達指定アクセスポイントの無線エリア内に移動するステップと、
前記到達指定アクセスポイントの無線エリア内へ前記携帯端末が移動すると、前記到達指定アクセスポイントを介して、前記コンテンツを前記携帯端末へ送信するステップと
を備えるコンテンツダウンロード方法。
【請求項１４】
請求の範囲１３に記載のコンテンツダウンロード方法であって、
前記指定キャッシュサーバへ前記コンテンツをキャッシュすると、前記指定アクセスポイントの位置情報を前記携帯端末へ通知するステップ
をさらに備えるコンテンツダウンロード方法。
【請求項１５】
請求の範囲１４に記載のコンテンツダウンロード方法であって、前記携帯端末へ前記コンテンツを送信するステップは、
前記指定アクセスポイントの無線エリア内に移動したと検知すると、前記エージェントへ、前記指定アクセスポイントの無線エリア内への到達通知を送信するステップと、
前記到達通知を受信すると、前記指定キャッシュサーバへ前記コンテンツの同期命令を送信するステップと、
前記同期命令を受信すると前記コンテンツを前記携帯端末へ送信するステップと
を含むコンテンツダウンロード方法。
【請求項１６】
請求の範囲１５に記載のコンテンツダウンロード方法であって、前記指定アクセスポイントを決定するステップは、
前記携帯電話端末の位置情報と前記アクセスポイントの位置情報とに基づいて、前記携帯電話端末と最も距離の近い前記アクセスポイントを、前記指定アクセスポイントと決定するステップ
を含むコンテンツダウンロード方法。
【請求項１７】
（削除）
【請求項１８】
請求の範囲１３に記載のコンテンツダウンロード方法であって、前記各指定アクセスポイントを介して、前記コンテンツを前記携帯端末へ送信するステップは、
異なる前記アクセスポイントの無線エリアへ移動したと検知する度に、前記エージェントへ到達通知を送信するステップと、
前記到達通知を受信すると前記識別子が移動した無線エリアを構成する前記アクセスポイントが前記複数の指定アクセスポイントのうちのいずれかである場合には、当該指定アクセスポイントを前記到達指定アクセスポイントとして当該到達指定アクセスポイントに対応する前記到達指定キャッシュサーバへ前記コンテンツの同期命令を通知するステップと、
前記同期命令を受信すると、前記到達指定アクセスポイントを介して、前記コンテンツを前記携帯端末へ送信するステップと
を含むコンテンツダウンロード方法。
【請求項１９】
請求の範囲１８に記載のコンテンツダウンロード方法であって、前記複数の指定アクセスポイントを決定するステップは、
前記アクセスポイントの位置情報と前記移動予定経路とに基づいて、前記移動予定経路に近い前記アクセスポイントを複数の指定アクセスポイントとして決定するステップ
を含むコンテンツダウンロード方法。
【請求項２０】
請求の範囲１９に記載のコンテンツダウンロード方法であって、
前記各指定キャッシュサーバに対応する前記各指定アクセスポイントの無線エリア内から当該無線エリア外へ前記携帯端末が移動するまで間に前記コンテンツのダウンロードが完了しない場合、前記コンテンツのうちダウンロードが完了したデータ部分を前記エージェントへ通知するステップと、
前記携帯端末が他の到達指定アクセスポイントの無線エリア内へ移動すると、前記他の到達指定アクセスポイントに対応する他の到達指定キャッシュサーバへ前記データ部分を通知するステップと、
前記データ部分に基づいて前記コンテンツのダウンロード再開位置を決定するステップと、  前記コンテンツを前記ダウンロード再開位置から、前記到達指定アクセスポイントを介して、前記携帯端末へ送信するステップと
をさらに備えるコンテンツダウンロード方法。
【請求項２１】
請求の範囲２０に記載のコンテンツダウンロード方法であって、前記移動予定経路を記憶するステップは、
前記携帯端末の移動経路の履歴を記録するステップと、
前記履歴に基づいて予測した前記移動予定経路を記憶するステップ
を含むコンテンツダウンロード方法。
【請求項２２】
請求の範囲１３から請求の範囲１６、及び請求の範囲１８から請求の範囲２１までのいずれかに記載のコンテンツダウンロード方法であって、
前記アクセスポイントの通信状態を示すＡＰ統計情報を、前記アクセスポイント毎に集計するステップ
をさらに備え、
前記指定アクセスポイントを決定するステップは、
前記監視装置の集計した前記ＡＰ統計情報に基づいて、前記各指定アクセスポイントのうち前記通信状態の良好なアクセスポイントを、前記指定アクセスポイントと決定するステップ
を含むコンテンツダウンロード方法。
【請求項２３】
請求の範囲２２に記載のコンテンツダウンロード方法であって、
前記ＡＰ統計情報は、前記アクセスポイントにアクセスしている前記携帯端末の数、使用帯域、ＴＣＰパケットの再送数に基づく通信品質である
コンテンツダウンロード方法。
【国際調査報告】
2010026799.tif 000016
2010026799.tif 000017